(57)【特許請求の範囲】
【請求項１】
帯状洗浄体を洗浄するシャワー洗浄装置において、
洗浄体を巻掛けた状態で、該洗浄体の走行方向に回転し、多数のシャワー窓がそれぞれ回転方向に沿って形成されてなる中空の回転ロールと、
回転ロールの内部に設置され、該回転ロールへの洗浄体の巻掛け角の範囲で、該回転ロールの各シャワー窓の内側に洗浄流体噴射ノズルを配置してなる洗浄流体供給装置と、
回転ロールと洗浄流体供給装置を該回転ロールのロール軸方向に一体で往復動する摺動装置とを有してなることを特徴とするシャワー洗浄装置。
【請求項２】
前記回転ロールがロール軸方向に一定のピッチを介する多数位置のそれぞれにて、ロール回転方向に沿う複数のシャワー窓からなる窓群を形成されてなり、
前記洗浄流体供給装置が前記回転ロールのロール軸方向で該回転ロールの各シャワー窓に対応する一定のピッチ毎に、複数の洗浄流体噴射ノズルからなるノズル群を各シャワー窓の長手方向に沿って縦列配置してなる請求項１記載のシャワー洗浄装置。
【請求項３】
前記回転ロールのロール軸方向における各位置に形成した前記窓群のそれぞれにて、当該窓群を構成するシャワー窓の少なくとも１つのシャワー窓の長手方向の一部に、ノズル交換用大径孔を形成してなる請求項２記載のシャワー洗浄装置。
【発明の詳細な説明】
【０００１】
【発明の属する技術分野】
本発明は、製紙機械用具等として用いられる帯状洗浄体のためのシャワー洗浄装置に関する。
【０００２】
【従来の技術】
従来、製紙機械では、ウエットパートで例えばワイヤ、プレスパートで例えば毛布、ドライパートで例えばキャンバス等の、帯状用具を用いており、これら帯状用具（帯状洗浄体）に付着する紙料、木材ピッチ、添加物等の汚れを洗浄して除去するシャワー洗浄装置を備えている。
【０００３】
従来のシャワー洗浄装置は、洗浄体の走行方向に交差してトラバースするシャワーヘッドに複数の洗浄流体噴射ノズルを備え、各ノズルから噴射する高圧洗浄流体を洗浄体に吹付けることとしている。
【０００４】
【発明が解決しようとする課題】
然しながら、従来技術には以下の問題点がある。
▲１▼シャワーヘッドの洗浄流体噴射ノズルは、洗浄体に接触してキズつけることのないように、洗浄体の表面から５０〜１００ｍｍ  も離隔配置する必要がある。また、シャワーヘッドのノズルから噴射される高圧洗浄流体は、洗浄体に大きな圧力を及ぼし、ノズルと洗浄体とはこれによって更に離隔するものとなる。従って、ノズルと洗浄体を可及的に近接せしめることができず、洗浄能力の向上に困難がある。
【０００５】
▲２▼上述▲１▼の如く、ノズルと洗浄体を可及的に近接せしめることができないため、一定の洗浄能力を確保するに必要な噴射流体圧力として高圧を要し、これが洗浄流体（空気、水、蒸気等）の使用量を多くし、またノズルの摩耗も促進する。
【０００６】
本発明の課題は、シャワー洗浄装置において、ノズルと洗浄体を近接せしめ、洗浄の能力を向上することにある。
【０００７】
【課題を解決するための手段】
請求項１に記載の本発明は、帯状洗浄体を洗浄するシャワー洗浄装置において、洗浄体を巻掛けた状態で、該洗浄体の走行方向に回転し、多数のシャワー窓がそれぞれ回転方向に沿って形成されてなる中空の回転ロールと、回転ロールの内部に設置され、該回転ロールへの洗浄体の巻掛け角の範囲で、該回転ロールの各シャワー窓の内側に洗浄流体噴射ノズルを配置してなる洗浄流体供給装置と、回転ロールと洗浄流体供給装置を該回転ロールのロール軸方向に一体で往復動する摺動装置とを有してなるようにしたものである。
【０００８】
請求項２に記載の本発明は、請求項１に記載の本発明において更に、前記回転ロールがロール軸方向に一定のピッチを介する多数位置のそれぞれにて、ロール回転方向に沿う複数のシャワー窓からなる窓群を形成されてなり、前記洗浄流体供給装置が前記回転ロールのロール軸方向で該回転ロールの各シャワー窓に対応する一定のピッチ毎に、複数の洗浄流体噴射ノズルからなるノズル群を各シャワー窓の長手方向に沿って縦列配置してなるようにしたものである。
【０００９】
請求項３に記載の本発明は、請求項２に記載の本発明において更に、前記回転ロールのロール軸方向における各位置に形成した前記窓群のそれぞれにて、当該窓群を構成するシャワー窓の少なくとも１つのシャワー窓の長手方向の一部に、ノズル交換用大径孔を形成してなるようにしたものである。
【００１０】
【作用】
請求項１の発明によれば下記▲１▼〜▲７▼の作用がある。
▲１▼洗浄体を巻掛けた回転ロールの中に洗浄流体供給装置の噴射ノズルを配置することにより、ノズルを（ロールセルの肉厚近くまで）洗浄体に近接配置でき、洗浄能力を向上できる。
【００１１】
▲２▼上述▲１▼の如く、ノズルと洗浄体を可及的に近接できるため、一定の洗浄能力を確保するに必要な噴射流体圧力を低圧化でき、結果として、洗浄流体（空気、水、蒸気等）の使用量を低減し、またノズルの摩耗も低減して装置寿命を向上できる。
【００１２】
▲３▼洗浄体を回転ロールに巻掛けてターンする部分で洗浄流体をこの洗浄体に噴射供給するものであるから、洗浄流体は噴射圧力に遠心力を付加された強力な洗浄力をもって洗浄体に供給されることになり、洗浄体に付着していた汚れも遠心力の作用を受ける状態で洗浄流体の洗浄作用を付与されるものとなり、これによっても、洗浄能力を向上できる。
【００１３】
▲４▼洗浄体を回転ロールに巻掛けてターンする部分で洗浄流体をこの洗浄体に噴射供給するものであり、洗浄体の回転ロールに対する外側面では、該洗浄体がロールへの巻掛け角の影響で、該洗浄体の目が拡開され、結果として、洗浄体の目につまっている汚れを洗浄流体の噴射圧力と遠心力で外方に吹き飛ばし除去し易く、これによっても洗浄能力を向上できる。
【００１４】
▲５▼洗浄体を回転ロールに巻掛けてターンする部分で洗浄流体をこの洗浄体に噴射供給するものであり、洗浄体の回転ロールに対する（接する）内側面は、回転ロールのロール面との間に流体膜（空気膜、水膜等）を介する一定の隙間を伴う。このため、洗浄体の回転ロールに対する内側面に付着していた汚れは、この隙間の存在により、該洗浄体の内側面に浮き出る如くを促進され、ひいては洗浄体が回転ロールから離れていく巻掛け角の出側でロール回転接線方向の外方へと放出除去され、これによっても洗浄能力を向上できる。
【００１５】
▲６▼回転ロールを強制駆動することなく、洗浄体に連れ回りさせるとき、回転ロールは洗浄体との間に上述▲５▼の隙間を得て、洗浄体の高速走行に対してスリップして連れ回る。従って、回転ロールは、適度に低速回転せしめられ、多数のシャワー窓を備えることによる脆弱体質をこれによって保護され、一定の疲労強度を確保できる。
【００１６】
▲７▼噴射ノズルを回転ロールの中に配置するものであるから、洗浄体に直接接してこれをキズつける虞がなく、洗浄体の耐久性をこれによっても向上できる。
【００１７】
請求項２の発明によれば下記▲８▼の作用がある。
▲８▼回転ロールのシャワー窓群と洗浄流体供給装置のノズル群が、ロール軸方向に一定のピッチを介して配置されている。従って、摺動装置により、回転ロールと洗浄流体供給装置をその一定ピッチを越える範囲に渡って往復動することにより、洗浄体の幅方向の全域を洗浄できる。
【００１８】
請求項３の発明によれば下記▲９▼の作用がある。
▲９▼回転ロールのシャワー窓群の少なくとも１つのシャワー窓に、ノズル交換用大径孔を形成したから、この孔から洗浄流体供給装置のノズルチップ等を簡易に交換できる。
【００１９】
【発明の実施の形態】
図１はシャワー洗浄装置を示す断面図、図２は図１の側面図、図３は図１のＩＩＩ−ＩＩＩ  線に沿う断面図、図４は図３の要部拡大図、図５はシャワー洗浄装置の変形例を示す模式図である。
【００２０】
シャワー洗浄装置１０は、製紙ラインのウエットパート、プレスパート、ドライパートのそれぞれにおいて設備され、ワイヤ、毛布、キャンバス等の帯状洗浄体１に付着した紙料、木材ピッチ、添加物等の汚れを洗浄して除去する。
【００２１】
シャワー洗浄装置１０は、図１に示す如く、中空回転ロール２１と、洗浄流体供給装置３１と、摺動装置４１とを有して構成される。
【００２２】
回転ロール２１は、摺動装置４１の後述する左右のスライド台４２に支持される軸受箱２２の軸受２３に左右の中空支軸２６を回転自在に支持され、洗浄体１が一定の張力を付与された状態で無端周回状に巻掛けられた状態で、洗浄体１の走行方向に回転し、多数のシャワー窓２４がそれぞれ回転方向（ロール周方向）に沿って形成されている。このとき、回転ロール２１には、ロール軸方向に一定のピッチＰを介する多数位置のそれぞれにて、ロール回転方向に沿う複数（例えば５個）のシャワー窓２４からなる窓群２５を形成している。そして、回転ロール２１は、上述の窓群２５のそれぞれにて、該窓群２５を構成するシャワー窓２４の少なくとも１つのシャワー窓２４の長手方向の一端部に、ノズル交換用大径孔２４Ａを形成している。
【００２３】
回転ロール２１は、支軸２６の軸受箱２２に対する内側に位置する部分に水切りリング２７を備え、軸受箱２２の側の潤滑油が回転ロール２１における洗浄体１の巻掛ロール面側に飛散するのを防止する。
【００２４】
尚、回転ロール２１は、強制駆動されても良いが、本実施形態では、洗浄体１の走行移動力を受け、洗浄体１に対し後述する如くに一定のスリップを伴いつつ連れ回り回転する。
【００２５】
洗浄流体供給装置３１は固定ロール３２を有し、この固定ロール３２を、回転ロール２１の内部に一定の間隙を介するように、左右の中空支軸３３を介して、左右の摺動装置４１のスライド台４２に支持される支持台３４により固定的に支持する。洗浄流体供給装置３１の固定ロール３２には、回転ロール２１への洗浄体１の巻掛け角の範囲で、洗浄流体噴射ノズル３５が回転ロール２１の各シャワー窓２４の内側面に近接配置される（図３、図４）。図４において、１０１は固定ロール３２に固着されたノズル本体、１０２はノズル本体１０１に着脱されるノズルチップである。このとき、洗浄流体供給装置３１は、回転ロール２１のロール軸方向で、回転ロール２１の各シャワー窓２４（窓群２５）に対応する一定のピッチＰ毎に、複数（例えば２個の空気用ノズル３５Ａと３個の水用ノズル３５Ｂ）の洗浄流体噴射ノズル３５からなるノズル群３６を、各シャワー窓２４（窓群２５）の長手方向に沿って縦列配置している。
【００２６】
洗浄流体供給装置３１は、左右の中空支軸３３の開口から固定ロール３２の内部に渡るように、洗浄流体供給管３７（空気供給管３７Ａ、水供給管３７Ｂ）を挿入し（図１、図２）、これらの供給管３７に角管等からなる洗浄流体供給ヘッド３８（空気供給ヘッド３８Ａ、水供給ヘッド３８Ｂ）を接続し、洗浄流体供給ヘッド３８の長手方向各位置に上述の噴射ノズル３５（空気供給ヘッド３８Ａには空気用ノズル３５Ａ、水供給ヘッド３８Ｂには水用ノズル３５Ｂ）をホース接続してある（図１、図３）。各供給ヘッド３８は、固定ロール３２の左右一方の端部から固定ロール３２の中央部にまで延在せしめれられ、各供給ヘッド３８の横断面積を固定ロール３２の左右一方の端部から固定ロール３２の中央部にまで延在せしめられ、各供給ヘッド３８の横断面積を固定ロール３２の左右一方の端部から固定ロール３２の中央部に向けて漸減せしめる等により、各供給ヘッド３８の長手方向の各位置に接続された噴射ノズル３５からの流体噴射圧力をその長手方向で互いに均等化せしめるようにしている。
【００２７】
摺動装置４１は、架台４３に設けられて回転ロール２１の軸方向に延在するガイドレール４４に前述した左右のスライド台４２を載架し、このスライド台４２に前述の如く、回転ロール２１と洗浄流体供給装置３１を支持する。摺動装置４１は、架台４３に支持したモータ４５により駆動される送りねじ４６を左右のスライド台４２に螺合し、モータ４５の正逆転により、回転ロール２１と洗浄流体供給装置３１を該回転ロール２１のロール軸方向に一体で、前述の窓群２５、ノズル群３６のピッチＰを越える範囲にて往復動する。
【００２８】
従って、シャワー洗浄装置１０は以下の如く洗浄動作する。
（１）  洗浄体１を回転ロール２１に巻掛けて走行せしめ、同時に、回転ロール２１を洗浄体１の走行移動に連れ回り回転せしめる。このとき、洗浄体１の汚れの強い表面を回転ロール２１に接する内側面として回転ロール２１に巻掛けても良く、或いは洗浄体１のこの表面を回転ロール２１に接しない外側面として回転ロール２１に巻掛けても良い。
【００２９】
（２）  摺動装置４１により、回転ロール２１と洗浄流体供給装置３１を該回転ロール２１のロール軸方向に一体で往復動させながら、洗浄流体供給装置３１により、空気供給ヘッド３８Ａに接続した空気用ノズル３５Ａから噴射される空気を、当該ノズル３５Ａが属するノズル群３６に対応する位置に回転してきた回転ロール２１のシャワー窓２４から洗浄体１に噴射する。同時に、水供給ヘッド３８Ｂに接続した水用ノズル３５Ｂから噴射される水を、当該ノズル３５Ｂが属するノズル群３６に対応する位置に回転してきた回転ロール２１のシャワー窓２４から洗浄体１に噴射する。これにより、洗浄体１は、洗浄流体である空気、水を噴射されてその汚れを吹き飛ばし除去される。
【００３０】
尚、シャワー洗浄装置１０では、洗浄流体供給装置３１に２種の供給ヘッド３８（３８Ａ、３８Ｂ）を備え、空気用ノズル３５Ａと水用ノズル３５Ｂのそれぞれから空気と水の２種類の流体を回転ロール２１のシャワー窓２４から同時に噴射したが、それらのノズル３５Ａ、３５Ｂを、空気用ノズルと蒸気用ノズルとして用いることにより空気と蒸気の２種類の流体を回転ロール２１のシャワー窓２４から同時に噴射し、或いは水用ノズルと蒸気用ノズルとして用いることにより水と空気の２種類の流体を回転ロール２１のシャワー窓２４から同時に噴射するものとしても良い。
【００３１】
また、洗浄流体供給装置３１に３組以上の洗浄流体供給ヘッド３８と洗浄流体噴射ノズル３５を備えるものとし、回転ロール２１のシャワー窓２４から３種類以上の流体（空気、水、蒸気等）を同時に噴射するものであっても良い。
【００３２】
尚、洗浄流体供給装置３１において、洗浄流体として空気、水、蒸気等のいずれを用いるか、或いはいずれの組合わせを用いるかは、洗浄体１の付着物の種類に応じて選択される。
【００３３】
従って、本実施形態によれば、以下の作用がある。
▲１▼洗浄体１を巻掛けた回転ロール２１の中に洗浄流体供給装置３１の噴射ノズル３５を配置することにより、ノズル３５を（ロールセルの肉厚近くまで）洗浄体１に近接配置でき、洗浄能力を向上できる。
【００３４】
▲２▼上述▲１▼の如く、ノズル３５と洗浄体１を可及的に近接できるため、一定の洗浄能力を確保するに必要な噴射流体圧力を低圧化でき、結果として、洗浄流体（空気、水、蒸気等）の使用量を低減し、またノズル３５の摩耗も低減して装置寿命を向上できる。
【００３５】
▲３▼洗浄体１を回転ロール２１に巻掛けてターンする部分で洗浄流体をこの洗浄体１に噴射供給するものであるから、洗浄流体は噴射圧力に遠心力を付加された強力な洗浄力をもって洗浄体１に供給されることになり、洗浄体１に付着していた汚れも遠心力の作用を受ける状態で洗浄流体の洗浄作用を付与されるものとなり、これによっても、洗浄能力を向上できる。
【００３６】
▲４▼洗浄体１を回転ロール２１に巻掛けてターンする部分で洗浄流体をこの洗浄体１に噴射供給するものであり、洗浄体１の回転ロール２１に対する外側面では、該洗浄体１がロールへの巻掛け角の影響で、該洗浄体１の目が拡開され、結果として、洗浄体１の目につまっている汚れを洗浄流体の噴射圧力と遠心力で外方に吹き飛ばし除去し易く、これによっても洗浄能力を向上できる。
【００３７】
▲５▼洗浄体１を回転ロール２１に巻掛けてターンする部分で洗浄流体をこの洗浄体１に噴射供給するものであり、洗浄体１の回転ロール２１に対する（接する）内側面は、回転ロール２１のロール面との間に流体膜（空気膜、水膜等）を介する一定の隙間を伴う。このため、洗浄体１の回転ロール２１に対する内側面に付着していた汚れは、この隙間の存在により、該洗浄体１の内側面に浮き出る如くを促進され、ひいては洗浄体１が回転ロール２１から離れていく巻掛け角の出側でロール回転接線方向の外方へと放出除去され、これによっても洗浄能力を向上できる。
【００３８】
▲６▼回転ロール２１を強制駆動することなく、洗浄体１に連れ回りさせるとき、回転ロール２１は洗浄体１との間に上述▲５▼の隙間を得て、洗浄体１の高速走行に対してスリップして連れ回る。従って、回転ロール２１は、適度に低速回転せしめられ、多数のシャワー窓２４を備えることによる脆弱体質をこれによって保護され、一定の疲労強度を確保できる。
【００３９】
▲７▼噴射ノズル３５を回転ロール２１の中に配置するものであるから、洗浄体１に直接接してこれをキズつける虞がなく、洗浄体１の耐久性をこれによっても向上できる。
【００４０】
▲８▼回転ロール２１のシャワー窓群２５と洗浄流体供給装置３１のノズル群３６が、ロール軸方向に一定のピッチを介して配置されている。従って、摺動装置４１により、回転ロール２１と洗浄流体供給装置３１をその一定ピッチを越える範囲に渡って往復動することにより、洗浄体１の幅方向の全域を洗浄できる。
【００４１】
▲９▼回転ロール２１のシャワー窓群２５の少なくとも１つのシャワー窓２４に、ノズル交換用大径孔２４Ａを形成したから、この孔２４Ａから洗浄流体供給装置３１のノズルチップ１０２等を簡易に交換できる。
【００４２】
尚、本発明の実施にあっては、図５に示す如く、２組のシャワー洗浄装置１０（１０Ａ、１０Ｂ）を並置し、洗浄体１をそれらのシャワー洗浄装置１０Ａ、１０ＢにＳ字状の巻き回すことにより、（ａ）  洗浄体１の汚れの強い表面をシャワー洗浄装置１０Ａの回転ロール２１に接するように巻掛け、洗浄体１の表面の汚れを、回転ロール２１のロール面との間（隙間）で、例えば蒸気により洗浄体１の表面に浮き出させ（前述▲５▼の作用）、その後、（ｂ）  洗浄体１の裏面をシャワー洗浄装置１０Ｂの回転ロール２１に接するように巻掛け、洗浄体１の裏面から表面に貫通する噴射流体（空気、水、蒸気等）によりその表面に上述（ａ）  で浮き出されている汚れを吹き飛ばし、結果として、洗浄体１の汚れをより確実に洗浄するものとしても良い。
【００４３】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００４４】
【発明の効果】
以上のように本発明によれば、シャワー洗浄装置において、ノズルと洗浄体を近接せしめ、洗浄の能力を向上することができる。
【図面の簡単な説明】
【図１】図１はシャワー洗浄装置を示す断面図である。
【図２】図２は図１の側面図である。
【図３】図３は図１のＩＩＩ−ＩＩＩ  線に沿う断面図である。
【図４】図４は図３の要部拡大図である。
【図５】図５はシャワー洗浄装置の変形例を示す模式図である。
【符号の説明】
１  洗浄体
１０  シャワー洗浄装置
２１  回転ロール
２４  シャワー窓
２４Ａ  ノズル交換用大径孔
２５  窓群
３１  洗浄流体供給装置
３５  洗浄流体噴射ノズル
３６  ノズル群
４１  摺動装置
【図１】
0003541308.tif 000002
【図２】
0003541308.tif 000003
【図３】
0003541308.tif 000004
【図４】
0003541308.tif 000005
【図５】
0003541308.tif 000006